(57)【要約】      （修正有）【課題】土地、道路、建設構造物等の施工現場で簡易に耐荷性のある面をつくりだし、ミズゴケあるいは緑化植物体の定着・養生に適した植生基盤を提供する。【解決手段】平面状の部材を１単位とし、２単位以上の部材を立て、独立あるいは交差させてなる平面立て構造体上に生長ミズゴケ１１を置床し被覆網状体９−１で被覆し、水溜め体７の底部にある水を網状体９−１まで移動させる浸潤体１０を設置し、植物を置床した領域がミズゴケ及びその他植物養生のための養生床網１２となる植生基盤。【選択図】図５
2016131562.tif 000002
【特許請求の範囲】
【請求項１】
平面状の部材を１単位とし、２単位以上の部材を立て、独立あるいは交差させてなる植生基盤。
【請求項２】
請求項１記載の基盤の前面に、水を移動させる浸潤体を介してミズゴケを湿潤させる植生基盤。
【請求項３】
前記記載の植生基盤において、特定の生長ミズゴケとして、オオミズゴケ系統「パレストーレミーノ（商願２０１４−０４２６２０）」を一部または全部を資材とする植生基盤。
【請求項４】
前記記載の植生基盤において、湿潤性移動のための素材が、生物資源素材に限定されないことを特徴とする、請求項１記載の植生基盤。
【請求項５】
前記記載の基盤の底部に水溜め体にある溶液が一定以上の水位を超えると流れ出る構造が設けられていることを特徴とする植生基盤。
【請求項６】
前記記載の植生基盤において、水溜め場の溶液、植生基盤を構成する非生物資材またはこれを介した植物体から水分の蒸発あるいは気化により、当該基盤を設置した上部および下部を含む周囲空間の空中温度および空間湿度の調整を行うことを特徴とする、請求項１〜５のいずれかに記載の植生基盤の使用方法。
【請求項７】
請求項１〜５のいずれかに記載の植生基盤において、上方向空間に設置した太陽光発電パネルおよび同等の構造物への空中温度調整効果によって、発電効果に影響を与える請求項６記載の植生基盤の使用方法。
【請求項８】
請求項１〜５のいずれかに記載の植生基盤を、土地、道路、建設構造物等に設置し、直下面および下部方向にある周辺の面および面下の屋内空間に対して、温度あるいは湿度の調整を行うことを特徴とする、請求項６記載の植生基盤の使用方法。
【発明の詳細な説明】
【技術分野】
【０００１】  本発明は、植生基盤、具体的にはコケ植物全般、草本性植物全般、低木性の木本植物全般、および木本性植物の苗の養生を行うことを主要な目的とする植生基盤、及びその使用方法に関する発明である。
【背景技術】
【０００２】  近年、ミズゴケ栽培増殖に関する研究により、絶滅危惧植物である本種を含めその他希少種が安定かつ容易に大量栽培することが可能になった。この発明は、現在、屋上緑化、ダムや湖水でのフロー栽培ならびに自然環境に生息する環境修復など屋外条件下を前提としたフィールドにおける大量栽培に大きく貢献している。このミズゴケを栽培可能とした発明は、２００４年から２００５年にかけての発明当初にあたる製品はおもに水面や水平面に限定されていたが、２００６年以降、特に壁面基盤に特化した開発が進められ、薄層でも水の供給に偏りをもたない壁面ミズゴケ栽培が実現した。これら基盤は同一の基盤を複数作製し（このとき作製する最小単位の同一基盤を以下「ユニット」または「ユニット基盤」という）、壁や斜面に取り付けるものである。この実現によりミズゴケ以外のコケ植物、シダ植物を含めた維管束植物を生育させることの可能な壁面緑化基盤が製品化された。
【発明の開示】
【発明が解決しようとする課題】
【０００３】  上記基盤には、柔軟性のあるユニット基盤と基盤内部に骨格構造体をもつユニット基盤の２つの型に大別される。いずれの基盤もユニットから構成されており、このユニットの内部に水を溜めることを前提に植物を基盤に定植させることを特徴としている。しかしながら、ユニット基盤は、内部構造ならびにユニットを連結するシステムに特殊性があり、現場施工前にこのユニットをあらかじめ作製しておく必要がある点において、多くの時間とコストと労力を要するという問題点をもっている。このためユニットの作製をすることなく、現場で簡易に植生基盤を施工可能な技術の提供が待たれている。
【課題を解決するための手段】
【０００４】  本発明者はこの課題の解決に向けて鋭意検討を重ねた。その結果、平面状の部材を１単位とし、２単位以上の部材を立て、独立あるいは交差させてなる立体構造物を特徴とする植生基盤を提供することで、ユニット構造体をもたせず、また乾燥ミズゴケを使用することなく生長ミズゴケを養生させることに成功した。これを植生基盤として提供することにより、上記の課題を解決できる本発明を完成した。【０００５】  すなわち本発明は、平面状の部材（以下、平面体あるいは平面部材という）を設置面に対して垂直方向に複数固定した、立体構造物の前面に、特にオオミズゴケ系統である「パレストーレミーノ（商願２０１４−０４２６２０）」の生長ミズゴケを一部あるいは全部を定着させ、さらに水に接触させた浸潤体を介して生長ミズゴケを湿潤状態とさせることで、生きたミズゴケまたはその他植物の安定的な養生を行うことを特徴とする植生基盤の使用方法を提供する発明である。【０００６】（１）ミズゴケ
ミズゴケの植物体は、茎部、葉部及び枝部（以下、当該葉部及び枝部を「頭部」として総称する）からなるが、これらのミズゴケ植物体の個別部分は、各々の部分毎に再生能力を有することが知られている［ＰＣＴ／ＪＰ０３／１６８８２号：ＷＯ２００４／０６００４９Ａ１（２００４年７月２２日国際公開）］。
なお、「ミズゴケ」とは、特に断らない限り、野生に生えた状態と実質的に同一の状態の生長可能なミズゴケである。ここで記述する「生長ミズゴケ」とは生命活動が維持されているミズゴケのことであり、これに該当するミズゴケはミズゴケ科全種である。また、「乾燥ミズゴケ」とは、生命活動維持されていないミズゴケ科全種を意味する。乾燥ミズゴケは生長可能なミズゴケに加熱滅菌処理等を施したミズゴケのことで（市販品も可）、さらに、前記の生長ミズゴケを自然乾燥させて得られるミズゴケのも意味する。いずれにしても、「乾燥ミズゴケ」とは、主に、殺菌死滅処理を加えたミズゴケ（市販品も可）を意味するものであるが、生長ミズゴケを単純に乾燥したものも含むものとし、その製造工程のことを特定する用語であり、それが水を含んでいるか否か、あるいは湿潤であるか否かは問題とならない。【０００７】  特に本発明は、浸潤状態の乾燥ミズゴケの植物体の集合物の横架前面に生長ミズゴケの植物体を定着させてなる、いわゆる「ミズゴケ複合体」（以下、本ミズゴケ複合体ともいう）を用いることなく、特に「パレストーレミーノ（商願２０１４−０４２６２０）」系統の一部または全ての生長ミズゴケを使用することにより、ミズゴケ栽培を可能にし得るものである。すなわち、当該系統を一部または全てを含んだ、単一種あるいは複数種（あるいは系統）のミズゴケの集合体をミズゴケ集合体とする。つまり、「生長ミズゴケ集合体」（以下、本ミズゴケ集合体ともいう）とは、ミズゴケの１植物体を１単位として、２単位以上が互いのミズゴケの植物体と接触させたものを集合体とする。【０００８】本発明に係るミズゴケは、横架した部材に懸垂されている、浸潤状態の乾燥ミズゴケの植物体の集合物の横架前面に生長ミズゴケの植物体を定着させてなる、ミズゴケ集合体を提供することにより、上記の課題を解決し得ることを見出した。【０００９】  尚、本発明が適用され得るミズゴケは、コケ植物蘚類  ミズゴケ科  ミズゴケ属（Ｓｐｈａｇｎｕｍ  Ｌ．）に属する全てを意味し、例えば、日本国原産のものであれば、オオミズゴケ（Ｓｐｈａｇｎｕｍ  ｐａｌｕｓｔｒｅ  Ｌ．）、イボミズゴケ（Ｓｐｈａｇｎｕｍ  ｐａｐｉｌｌｏｓｕｍ  Ｌｉｎｄｂ．）、ムラサキミズゴケ（Ｓｐｈａｇｎｕｍ  ｍａｇｅｌｌａｎｉｃｕｍ  Ｂｒｉｄ．）、キレハミズゴケ（Ｓｐｈａｇｎｕｍ  ａｏｎｇｓｔｒｏｅｍｉｉ  Ｃ．Ｈａｒｔｍ）、キダチミズゴケ（Ｓｐｈａｇｎｕｍ  ｃｏｍｐａｃｔｕｍ  ＤＣ．）、コアナミズゴケ（Ｓｐｈａｇｎｕｍ  ｍｉｃｒｏｐｏｒｕｍ  Ｗａｒｎｓｔ．ｅｘ  Ｃａｒｄ）、コバノミズゴケ（Ｓｐｈａｇｎｕｍ  ｃａｌｙｍｍａｔｏｐｈｙｌｌｕｍ  Ｗａｒｎｅｓｔ．＆  Ｃａｒｄ．）、ユガミミズゴケ（Ｓｐｈａｇｎｕｍ  ｓｕｂｓｅｃｕｎｄｕｍ  Ｎｅｅｓ  ｅｘ  Ｓｔｕｒｍ）、ホソバミズゴケ（Ｓｐｈａｇｎｕｍ  ｇｉｒｇｅｎｓｏｈｎｉｉ  Ｒｕｓｓｏｗ）、チャミズゴケ（Ｓｐｈａｇｎｕｍ  ｆｕｓｃｕｍ（Ｓｃｈｉｍｐ．）Ｈ．Ｋｌｉｎｇｇｒ．）、ヒメミズゴケ（Ｓｐｈａｇｎｕｍ  ｆｉｍｂｒｉａｔｕｍ  Ｗｉｌｓｏｎ  ｅｘ  Ｗｉｌｓｏｎ  ＆  Ｈｏｏｋ．ｆ．）、スギハミズゴケ（Ｓｐｈａｇｎｕｍ  ｃａｐｉｌｌｉｆｏｌｉｕｍ（Ｅｈｒｈ．）Ｈｅｄｗ．）��ホソベリミズゴケ（Ｓｐｈａｇｎｕｍ  ｊｕｎｇｈｕｈｎｉａｎｕｍ  Ｄｏｚｙ  ＆  Ｍｏｌｋ．Ｓｕｂｓｐ．Ｐｓｅｕｄｏｍｏｌｌｅ（Ｗａｒｎｅｓｔ．）Ｈ．Ｓｕｚｕｋｉ）、ワタミズゴケ（Ｓｐｈａｇｎｕｍ  ｔｅｎｅｌｌｕｍ  Ｈｏｆｆｍ．）、ハリミズゴケ（Ｓｐｈａｇｎｕｍ  ｃｕｓｐｉｄａｔｕｍ  Ｈｏｆｆｍ．）、アオモリミズゴケ（Ｓｐｈａｇｎｕｍ  ｒｅｃｕｒｖｕｍ  Ｐ．Ｂｅａｕｖ．）、ウロコミズゴケ（Ｓｐｈａｇｎｕｍ  ｓｑｕａｒｒｏｓｕｍ  Ｃｒｏｍｅ）等を挙げることができる。また、日本国以外の地域原産のミズゴケを、本発明に適用することも可能であることは勿論である。【００１０】（２）本基盤で養成される対象生物
本基盤において養生されるコケ植物は特に限定されず、自然界に自生しているコケ植物をそのまま用いることも可能であり、栽培法で得たコケ植物を用いることも可能である。また、いわゆる培養法〔例えば、「植物バイオテクノロジーＩＩ」，東京化学同人：現代化学・増刊２０の第３９頁「蘚苔類の培養」（小野著）等参照のこと〕を用いた「培養ゴケ」を用いることも可能であるが、通常は、栽培法で得たコケ植物を用いることが好ましい。
この栽培されたコケ植物は、通常の栽培法で得たコケ植物を用いることができるが、特に、本発明においては、以下の方法で得られる、コケ植物断片群を用いることが好ましい。
すなわち、生長したコケ植物の群落の頂部近傍を切断し、切断したコケ植物断片を収穫物として用い、切断されたコケ植物の群落の養生を継続して行い、かつ、この養生と収穫のサイクルを繰りかえし行う、コケ植物の栽培方法において得られる、上記コケ植物の断片群を、本発明において用いることができる。【００１１】  ここで、生長したコケ植物の群落は、天然のコケ植物の群落であっても、通常のパレット栽培で得られるコケ植物の群落であっても、コケ植物を固定した人工基盤を養生して得られるコケ植物の群落であってもよい。コケ植物の群落は、平置きの状態で養生したものであっても、壁面や法面等において養生したものであってもよい。頂部付近の切断を行う時期は、上記の生長したコケ植物におけるコケ植物が、概ね２〜３ｃｍ程度に達した時点が好適である。コケ植物の群落の頂部近傍の切断は、コケ植物の群落の上部（緑が多い部分）を、種々の切断器具、たとえば、ハサミ、バリカン、サンダー等を用いて行うことができる。また、ほうきや刷毛等で、コケ植物の群落の上部をなでつけることによっても、コケ植物の頂部近傍は容易に切断され、所望するコケ植物の断片を得ることができる。【００１２】  上述した切断工程の後、切断して得たコケ植物の断片は、「収穫物」として、本栽培基において載置されるコケ植物として用いることができる。また、切断された後のコケ植物の群落は、養生を継続して行いコケ植物を再び生長させることができる。この再生長させたコケ植物の群落に対して、再び切断工程を行うことで、コケ植物の断片群を再度得ることができる。この養生と収穫のサイクルを繰りかえし行うことにより、効率的にコケ植物を「収穫物」として得ることができる。【００１３】  ミズゴケ以外のコケ植物では、蘚苔類に属する全てを意味し、例えば、ハリガネゴケ（Ｂｒｙｕｍ  ｃａｐｉｌｌａｒｅ  Ｈｅｄｗ．）、ヤノネゴケ（Ｂｒｙｈｎｉａ  ｎｏｖａｅ−ａｎｇｌｉａｅ（Ｓｕｌｌ．＆  Ｌｅｓｑ．）Ｇｒｏｕｔ）、
2016131562.tif 000003
キミズゼニゴケ）（Ｐｅｌｌｉａ  ｅｎｄｉｖｉａｅｆｏｌｉａ  Ｍｉｔｔ．）、カマサワゴケ（Ｐｈｉｌｏｎｏｔｉｓ  ｆａｌｃａｔａ（Ｈｏｏｋ．）Ｍｉｔｔ．）、オオシッポゴケ（Ｄｉｃｒａｎｕｍ  ｎｉｐｐｏｎｅｎｓｅ  Ｂｅｓｃｈ．）、アオシノブゴケ（Ｔｈｕｉｄｉｕｍ
2016131562.tif 000004
Ｍｏｌｋ．）Ｄｏｚｙ  ＆  Ｍｏｌｋ．）、オオハリガネゴケ（Ｂｒｙｕｍ  ｐｓｅｕｄｏｔｒｉｑｕｅｔｒｕｍ（Ｈｅｄｗ．）Ｇａｅｒｔｎ．）、ヒロハツヤゴケ（Ｅｎｔｏｄｏｎ  ｃｈａｌｌｅｎｇｅｒｉ（Ｐａｒｉｓ）Ｃａｒｄ．）、カガミゴケ（Ｂｒｏｔｈｅｒｅｌｌａ  ｈｅｎｏｎｉｉ（Ｄｕｂｙ）Ｍ．Ｆｌｅｉｓｃｈ．）、クサゴケ（Ｃａｌｌｉｃｌａｄｉｕｍ  ｈａｌｄａｎｉａｎｕｍ（Ｇｒｅｖ．）Ｈ．Ａ．Ｃｒｕｍ）、コツボゴケ（Ｐｌａｇｉｏｍｎｉｕｍ  ａｃｕｔｕｍ（Ｌｉｄｂ．）Ｔ．Ｊ．Ｋｏｐ．）、コバノチョウチンゴケ（Ｔｒａｃｈｙｃｙｓｔｉｓ  ｍｉｃｒｏｐｈｙｌｌａ（Ｄｏｚｙ  ＆  Ｍｏｌｋ．）Ｌｉｎｄｂ．）、トヤマシノブゴケ（Ｔｈｕｉｄｉｕｍ  ｋａｎｅｄａｅ  Ｓａｋｕｒａｉ）、キブリツボミゴケ（Ｊｕｎｇｅｒｍａｎｎｉａ  ｖｉｒｇａｔａ（Ｍｉｔｔ．）Ｓｔｅｐｈ．）、オオミズゴケ（Ｓｐｈａｇｎｕｍ  ｐａｌｕｓｔｒｅ  Ｌ．）、ジャゴケ（Ｃｏｎｏｃｅｐｈａｌｕｍ  ｃｏｎｉｃｕｍ（Ｌ．））、コウヤノマンネングサ（Ｃｌｉｍａｃｉｕｍ
2016131562.tif 000005
アカゴケ（Ｃｅｒａｔｏｄｏｎ  ｐｕｒｐｕｒｅｕｓ（Ｈｅｄｗ．）Ｂｒｉｄ．）、ギンゴケ（Ｂｒｙｕｍ  ａｒｇｅｎｔｅｕｍ  Ｈｅｄｗ．）、ミヤマサナダゴケ（Ｐｌａｇｉｏｔｈｅｃｉｕｍ  ｎｅｍｏｒａｌｅ（Ｍｉｔｔ．）Ａ．Ｊａｅｇｅｒ）、ケゼニゴケ（Ｄｕｍｏｒｔｉｅｒａ  ｈｉｒｓｕｔａ（Ｓｗ．）Ｎｅｅｓ）、ハイゴケ（Ｈｙｐｎｕｍ  ｐｌｕｍａｅｆｏｒｍｅ  Ｗｉｌｓｏｎ）、ウマスギゴケ（Ｐｏｌｙｔｒｉｃｈｕｍ  ｃｏｍｍｕｎｅ  Ｈｅｄｗ．）、オオスギゴケ（Ｐｏｌｙｔｒｉｃｈｕｍ  ｆｏｒｍｏｓｕｍ  Ｈｅｄｗ．）、フロウソウ（Ｃｌｉｍａｃｉｕｍ  ｄｅｎｄｒｏｉｄｅｓ（Ｈｅｄｗ．）Ｆ．Ｗｅｂｅｒ  ＆  Ｍｏｈｒ）、オオシラガゴケ（Ｌｅｕｃｏｂｒｙｕｍ  ｓｃａｂｒｕｍ  Ｓａｎｄｅ  Ｌａｃ．）、
2016131562.tif 000006
ｐｏｌｙｍｏｒｐｈａ  Ｌ．）、ネズミノオゴケ（Ｍｙｕｒｏｃｌａｄａ  ｍａｘｉｍｏｗｉｃｚｉｉ（Ｂｏｒｃｚ．）Ｓｔｅｅｒｅ  ＆  Ｗ．Ｂ．Ｓｃｈｏｆｉｅｌｄ）、フデゴケ（Ｃａｍｐｙｌｏｐｕｓ  ｕｎｂｅｌｌａｔｕｓ（Ａｒｎ．）Ｐａｒｉｓ）、エダツヤゴケ（Ｅｎｔｏｄｏｎ  ｆｌａｖｅｓｃｅｎｓ（Ｈｏｏｋ．）Ａ．Ｊａｅｇｅｒ）、オオウロコゴケ（Ｈｅｔｅｒｏｓｃｙｐｈｕｓ  ｃｏａｌｉｔｕｓ（Ｈｏｏｋ．）Ｓｃｈｉｆｆｎ．）、ヒノキゴケ（Ｐｙｒｒｈｏｂｒｙｕｍ  ｄｏｚｙａｎｕｍ（Ｓａｎｄｅ  Ｌａｃ．）Ｍａｎｕｅｌ）およびこれら近縁種を特に挙げることができる。【００１４】  さらに、Ａｔｒｉｃｈｕｍ  ｕｎｄｕｌａｔｕｍ（Ｈｅｄｗ．）、Ｐ．Ｂｅａｕｖ（Ｎａｍｉｇａｔａ−Ｔａｃｈｉｇｏｋｅ）等のＡｔｒｉｃｈｕｍ  Ｐ．Ｂｅａｕｖ．（Ｔａｃｈｉｇｏｋｅ−ｚｏｋｕ）；Ｐｏｇｏｎａｔｕｍ  ｉｎｆｌｅｘｕｍ（Ｌｉｎｄｂ．）Ｌａｃ．（Ｋｏｓｕｇｉｇｏｋｅ）等のＰｏｇｏｎａｔｕｍ  Ｐ．Ｂｅａｕｖ（Ｎｉｗａ−ｓｕｇｉｇｏｋｅ−ｚｏｋｕ）；Ｐｏｌｙｔｒｉｃｈａｓｔｒｕｍ  ｆｏｒｍｏｓｕｍ（Ｈｅｄｗ．）Ｇ．Ｌ．Ｓｍｉｔｈ等のＰｏｌｙｔｒｉｃｈａｓｔｒｕｍ  Ｇ．Ｌ．Ｓｍｉｔｈ（Ｍｉｙａｍａ−ｓｕｇｉｇｏｋｅ−ｚｏｋｕ）；Ｐｏｌｙｔｒｉｃｈｕｍ  ｃｏｍｍｕｎｅ  Ｈｅｄｗ．（Ｕｍａ−ｓｕｇｉｇｏｋｅ）等のＰｏｌｙｔｒｉｃｈｕｍ  Ｈｅｄｗ．（Ｓｕｇｉｇｏｋｅ−ｚｏｋｕ）；Ｃｅｒａｔｏｄｏｎ  ｐｕｒｐｕｒｅｕｓ（Ｈｅｄｗ．）Ｂｉｒｄ．（Ｙａｎｏｕｅｎｏ−ａｋａｇｏｋｅ）等のＣｅｒａｔｏｄｏｎ  Ｂｉｒｄ．（Ｙａｎｏｕｅｎｏａｋａ−ｇｏｋｅ−ｚｏｋｕ）；Ｄｉｃｒａｎｕｍ  ｊａｐｏｎｉｃｕｍ  Ｍｉｔｔ．（Ｓｈｉｐｐｏｇｏｋｅ）、Ｄｉｃｒａｎｕｍ  ｎｉｐｐｏｎｅｎｓｅ  Ｂｅｓｃｈ（Ｏ−ｓｈｉｐｐｏｇｏｋｅ）、Ｄｉｃｒａｎｕｍ  ｓｃｏｐａｒｉｕｍ  Ｈｅｄｗ．（Ｋａｍｏｊｉｇｏｋｅ）、Ｄｉｃｒａｎｕｍ  ｐｏｌｙｓｅｔｕｍ  Ｓｗ．（Ｎａｍｉ−ｓｈｉｐｐｏｇｋｅ）等のＤｉｃｒａｎｕｍ  Ｈｅｄｗ．（Ｓｈｉｐｐｏｇｏｋｅ−ｚｏｋｕ）；Ｌｅｕｃｏｂｒｙｕｍ  ｓｃａｂｒｕｍ  Ｌａｃ．（Ｏ−ｓｈｉｒａｇａｇｏｋｅ）、Ｌｅｕｃｏｂｒｙｕｍ  ｊｕｎｉｐｅｒｏｉｄｅｕｍ（Ｂｒｉｄ．）Ｃ．Ｍｕｌｌ．（Ｈｏｓｏｂａ−ｏｋｉｎａｇｏｋｅ）等のＬｅｕｃｏｂｒｙｕｍ  Ｈａｍｐｅ（Ｓｈｉｒａｇａｇｏｋｅ−ｚｏｋｕ）；Ｂｒｙｕｍ  ａｒｇｅｎｔｅｕｍ  Ｈｅｄｗ．（Ｇｉｎｇｏｋｅ）等のＢｒｙｕｍ  Ｈｅｄｗ．（Ｈａｒｉｇａｎｅｇｏｋｅ−ｚｏｋｕ）；Ｒｈｏｄｏｂｒｙｕｍ  ｇｉｇａｎｔｅｕｍ（ｓｃｈｗａｅｇｒ．）Ｐａｒ．（Ｏ−ｋａｓａｇｏｋｅ）等のＲｈｏｄｏｂｒｙｕｍ（Ｓｃｈｉｍｐ．）Ｈａｍｐｅ（Ｋａｓａｇｏｋｅ−ｚｏｋｕ）；Ｐｌａｇｉｏｍｎｉｕｍａｃｕｔｕｍ（Ｌｉｎｄｂ．）Ｔ．Ｋｏｐ．（Ｋｏｔｓｕｂｏｇｏｋｅ）等のＰｌａｇｉｏｍｎｉｕｍ  Ｔ．Ｋｏｐ．（Ｔｓｕｒｕ−ｃｈｏｃｈｉｎｇｏｋｅ−ｚｏｋｕ）；Ｔｒａｃｈｙｃｙｓｔｉｓ  ｍｉｃｒｏｐｈｙｌｌａ（Ｄｏｚｙ  ｅｔ  Ｍｏｌｋ．）Ｌｉｎｄｂ．（Ｋｏｂａｎｏ−ｃｈｏｃｈｉｎｇｏｋｅ）等のＴｒａｃｈｙｃｙｓｔｉｓ  Ｌｉｎｄｂ．（Ｋｏｂａｎｏ−ｃｈｏｃｈｉｎｇｏｋｅ−ｚｏｋｕ）���Ｐｙｒｒｈｏｂｒｙｕｍ  ｄｏｚｙａｎｕｍ（Ｌａｃ．）Ｍａｎｕｅｌ（Ｈｉｎｏｋｉｇｏｋｅ）等のＰｙｒｒｈｏｂｒｙｕｍ  Ｍｉｔｔ．（Ｈｉｎｏｋｉｇｏｋｅ−ｚｏｋｕ）；Ｂａｒｔｒａｍｉａ  ｐｏｍｉｆｏｍｉｓ  Ｈｅｄｗ．（Ｏ−ｔａｍａｇｏｋｅ）等のＢａｒｔｒａｍｉａ  Ｈｅｄｗ．（ｔａｍａｇｏｋｅ−ｚｏｋｕ）；Ｃｌｉｍａｃｉｕｍ  ｄｅｎｄｒｏｉｄｅｓ（Ｈｅｄｗ．）Ｗｅｂ．ｅｔ  Ｍｏｈｒ（Ｆｕｒｏｓｏ）、Ｃｌｉｍａｃｉｕｍ  ｊａｐｏｎｉｃｉｕｍ  Ｌｉｎｄｂ．（Ｋｏｙａｎｏ−ｍａｎｎｅｎｇｕｓａ）等のＣｌｉｍａｃｉｕｍ  Ｗｅｂ．ｅｔ  Ｍｏｈｒ（Ｋｏｙａｎｏ−ｍａｎｎｅｎｇｕｓａ−ｚｏｋｕ）；Ｒａｃｏｍｉｔｒｉｕｍ  ｅｒｉｃｏｉｄｅｓ（Ｗｅｂ．ｅｔ  Ｂｒｉｄ）Ｂｒｉｄ（Ｈａｉ−ｓｕｎａｇｏｋｅ）、Ｒａｃｏｍｉｔｒｉｕｍ  ｊａｐｏｎｉｃｉｕｍ  Ｄｏｚｙ  ｅｔ  Ｍｏｌｋ．（Ｅｚｏ−ｓｕｎａｇｏｋｅ）、Ｒａｃｏｍｉｔｒｉｕｍ  ｃａｎｅｓｃｅｎｓ（Ｈｅｄｗ．）Ｂｒｉｄ．ｓｓｐ．ｌａｔｉｆｏｌｉｕｍ（Ｓｕｎａｇｏｋｅ）、Ｒａｃｏｍｉｔｒｉｕｍ  ｂａｒｂｕｌｏｉｄｅｓ  Ｃａｒｄ．（Ｋｏｂａｎｏｓｕｎａｇｏｋｅ）等のＲａｃｏｍｉｔｒｉｕｍ  Ｂｒｉｄ．（Ｓｈｉｍｏｆｕｒｉｇｏｋｅ−ｚｏｋｕ）；Ｈｙｐｎｕｍ  ｐｌｕｍａｅｆｏｒｍｅ  Ｗｉｌｓ．（Ｈａｉｇｏｋｅ）等のＨｙｐｎｕｍ  Ｈｅｄｗ．，ｎｏｍ．ｃｏｎｓ．（Ｈａｉｇｏｋｅ−ｚｏｋｕ）；Ｔｈｕｉｄｉｕｍ  Ｋａｎｅｄａｅ  Ｓａｋ．（Ｔｏｙａｍａ−ｓｈｉｎｏｂｕｇｏｋｅ）等のＴｈｕｉｄｉｕｍ  Ｂｒｕｃｈ  ｅｔ  Ｓｃｈｉｍｐ．ｉｎ  Ｂ．Ｓ．Ｇ．（Ｓｈｉｎｏｂｕｇｏｋｅ−ｚｏｋｕ）、Ｓｐｈａｇｎｕｍ  Ｌ．等を挙げることができるが、これらに限定されるものではない。【００１５】  これらのコケ植物は、単独種類のコケ植物を用いることは勿論のこと、２種以上を組み合わせて用いることも可能である。特に、強い日照を好むコケ植物（例えば、スナゴケ、ツノゴケ等）と、日陰を好むコケ植物（例えば、ハイゴケ、シッポゴケ、ヒノキゴケ、カサゴケ、トヤマシノブゴケ、チョウチンゴケ類等）を組み合わせて用いることにより、本栽培体が用いられる日照環境に依存せずに、コケ植物の生育を維持することが可能となる。【００１６】  コケ以外の「他の植物」も栽培可能であり、シダ類を含めた維管束植物全般の養成が可能である。特に発芽した実生を利用する植物であるもやし、スプラウト類である、ダイズ、緑豆、レタス、ゴマの種子および実生等を挙げることができる。また、ハーブ類などの植物としてアーティチョーク、アイスランドポピー、アガスタケ、アグリモニー、アチェトサ、アニス、アルカネット、アルニカ、アルファルファ、アンゼリカ、イエローフロスフラワー、イタリアンパセリ、インジェローニ・ミラノ、ウェルド・ダイヤース、ウォーター・クレス、ウォード、ウッドセージ、ウッドラフ、エキナセア、エルバガット、エルバステラ、エレカンペイン、エンダイブ、オーナメンタル・グラス、オールド・マンズ・ビヤード、オネスティー、オレガノ、オレチ、クレソン、カイヤール、ケシ（食用・観賞用）、コリアンダー、香菜、コウサイ、サットン、サフォークハーブ、シソ、セージ、セイボリー・ウインター、セロリ、���ーレル・ブルーキャットニップ、キャットミント、ナスターチューム・ドワーフシングルフェンネル・スイート（スイートフェンネル）、フレンチ、チャービル、ティル、バジル、パセリ、ヒソップ、フランキ、マロウコモン・ラージフラワー、マロウブルー、ペッパー、ペパーミント、ペニーロイヤルミント、カラミントなどのミント類、ポピー、ミントペニーロイヤル、ルッコラ、レモンバーム、レモングラス、ロイヤルフルール、ロケット、ローズマリー、ヤロウ、ワームウッドなどが例示できる。また、蔬菜類や野菜類の食用となる植物として、イチゴ、トマト、ナス、キュウリ、メロン、オクラ、トマト、ピーマン、パプリカ、ハバネロ、カボチャ、ズッキーニ、ニガウリ、スイカ、チシャ、アブラナ、キャベツ、レタス、ハクサイ、ホウレンソウ、ネギ、ニラ、ブロッコリー、カリフラワー、カイワレ、カイワレダイコン、トウガラシなどが挙げられる。花、花卉類、観賞植物、緑化植物として、パンジー、ビオラなどのスミレ類、コスモス、ヒマワリ、アスターなどの菊類、ユリ類、コチョウランやデンドロビウムなどのラン類、シバ類（日本シバ、オニシバ、キャッツグラス、リジェネラジオン、ケンタッキブルーグラス、ジェイターフツー、バミューダグラス、ベントグラス）、トルコギキョウなどのキキョウ類、キンレンカ、キンセンカ、ジニア（百日草）、アグロステンマ、ナデシコ、アゲラタム、アサガオ、アジサイ、アスクレピアス、アナキクルス、アネモネ、アマランテ、アブラナ、アビラス、アリッサム、アンセミス、アンドロサセ、イベリスケイトウ、インスタンツ、インパチェンス、ヴァレリアン、エーデルワイス、エキナセア、エキノプス、オーブリエチア、オエノテラ、オキシペタラム、おじぎ草、オシロイバナ、オステオスペルマム、オダマキ、オックスリップ、オミナエシ、カタバミ、キキョウ、サルタン、ディジー、ハゴロモルコウソウ、ヒビスカス、バラ、マーガレット、マリーゴールド、ヤグルマギク、ワレモコウ等を挙げることができるが、これらに限定されるものではない。また湿原植物や水生植物（水中〜水周辺を中心に生活する植物の総称）一般を挙げることができる。具体的には、シュロガヤツリ、地性ラン（アツモリソウ、クマガイソウ、ミズトンボ、シュンラン、トキソウ、カキラン、サギソウ、パフィオペディルム属、フラグミペディウム属、コチョウラン等）、ユキノシタ科に属する植物、アヤメ科に属する植物、モウセンゴケ科に属する植物（モウセンゴケ、コモウセンゴケ、ドロセラファルコネリー、ドロセラペティオラリス、ドロセラアデラエ、アフリカナガバノモウセンゴケ、ドロセラピグミー、イトバモウセンゴケ、ナガバノモウセンゴケ、イシモチソウ、ハエトリソウ、ドロソフィラムルシタニカム、ムジナモ等）、ムシトリスミレ属に属する植物、ビブリス属に属する植物、ウツボカズラ属に属する植物、セファロータス属に属する植物、サラセニア属に属する植物、ダーリングトニア属に属する植物、ホソバノセイタカギク等を例示できる。【００１７】（３）平面体の部材及びその固定
平面体（平面部材）とは、特に断らない限り、厚みをもった面上構造を形づくる全ての素材で、表面の凹凸や、湾曲、１平面体における厚みの違いがあっても、平面に穴や切れ込みがあってもよい。平面体の素材としては、木材、ポリプレート、化学合成系のプラスチック素材、発泡樹脂、アルミやステンレスを含む金属、石、セラミック、陶器、瓦、グリーンビズ、モルタル、コンクリート二次製品、レンガ、タイル、コンクリート、ガラスなど、その種類は特に限定されるものではない。平面体の厚さは特に限定されないが、０．１ｍｍ〜１００ｍｍ程度、通常は２ｍｍ〜５０ｍｍが好適である。また、その素材は、上記に挙げたとおり特に限定されないが、折り曲げが容易で、かつ、経時的な耐久性に優れた素材であることが好適である。このような点から、ポリプレート、ビニール、プラスチック等の耐錆性に優れたものが好適な素材として例示される。【００１８】  図１は、平面体１を施工表面に垂直方向にして、組み合わせして固定した構造体（以下平面立て構造体という）の１例である。平面体を組み合わせて植生基盤を作製する場合には、特に格子状（以下格子体という）が好適である。ただし、平面体の固定角度は、通常は５度〜１７５度程度、通常は、４５度から１３５度が好適であり、必ずしも垂直（９０度）に限定されるものではない。また、平面体のサイズは特に限定されないが、施工面に対し縦（高さ）２ｍｍ〜５００ｍｍ、横（幅または長さ）１０ｍｍ〜１００００ｍｍ程度、通常は縦２０ｍｍ〜２００ｍｍ、横１００ｍｍ〜１０００ｍｍが好適である。平面体どうしの配置は、図１のように格子状の集合物（以下、格子体という）が好適であるが、単独、平行あるいは不定配置など、施工表面に固定できればよく、必ずしも配置や配勾を限定するものではない。【００１９】  尚、施工表面とは、例えば建築物の屋上の平面、斜面、壁面、道路、宅地、農地などの表面を示し、その面が平面でも斜面でもよく、平面体を固定することが可能な面であれば特に限定されない。【００２０】  施工表面に接地する平面体の部位を「底部（または施工表面部）」とし、その反対側に位置する平面体の部位を「上部（または養生部）」とし、本平面体の両部位の間には、別の層が入っていてもよく、直接、施工面または養生部に平面体が接触する必要はない。【００２１】  図２は、平面立て構造体にする際の平面体の拡大姿図である。平面体に切れ込みの溝を入れた溝入平板２の上部プレートを下部プレートである溝入平板２−１のそれぞれの溝、すなわち上部溝部３を下部溝部４に差し込み、格子体を形成させる。尚、溝の切れ込みは１ｍｍ〜５００ｍｍ程度、通常は２０ｍｍ〜２００ｍｍが好適である。【００２２】固定部材６
図３は、平面立て構造体を、固定部材６で水を溜める構造体である水溜め体７に固定配置した構成図である。固定部材６は、平面立て構造体を水溜め体７に固定できるものであればよく、例えば、くぎ、留めネジ、ホッチキス針などで固定できるが、特にタッカー針が好適である。また、当該部材の素材も、木質、鉄やステンレスなどの金属など特に限定されない。水溜め体７の部材としては、厚さは特に限定されないが、０．１ｍｍ〜１００ｍｍ程度、通常は２ｍｍ〜５０ｍｍが好適である。また、その素材は、プラスチック、木材、ビニール、樹脂、ゴム、コンクリート、石材、金属等、特に限定されないが、折り曲げが容易で、かつ、経時的な耐久性に優れた素材であることが好適である。このような点から、ビニール、プラスチック（防水ゴム）等の耐錆性に優れたものが、好適な素材として例示される。水溜め体７の形状については、箱型、円筒型、円錐型、円柱型、楕円形、ドーム型、コンベックス（蒲鉾状）およびこれ以外の形あるいは不定形でもよく、水を溜めることが可能な形状であれば特に限定されるものではない。また水溜め体７を複数の素材から構成してもよく、例えば、底部を木や防水樹脂にしたり、シリコンを接着するなどして、水溜めができる状態にしてもよい。水溜め体７は施工面との間に安定層８を設けてもよい。安定層８の厚さは特に限定されないが、０．１ｍｍ〜１０００ｍｍ程度、通常は２ｍｍ〜３００ｍｍが好適である。安定層８の素材は、木材、ビニール、樹脂、ゴム、コンクリート、石材材、金属、砂、砂利、プラスチック、発泡スチロールやウレタンなどの発泡性の素材、あるいは発泡性セラミック・陶磁、グリーンビズ、モルタル、コンクリート二次製品、レンガ、タイル、およびミズゴケ、ピートモス、お茶の葉（使用済みのものを含む）、腐葉土などの生物素材およびこれを微細化したもの、土壌全般（黒土や畑土、肥料含有土、パーライトやバーミキュライトなどの人工発泡石、粘土、シルトおよびこの乾燥粉末）等、特に限定されるものではない。また、その材質およびその組み合わせは特に限定されるものではない。【００２３】  図４は養生植物定着用の被覆網状体９の姿図である。被覆網状体９の素材は、プラスチック、木材、ビニール、樹脂、ゴム、コンクリート、石材材、金属等、特に限定されないが、折り曲げが容易で、かつ、経時的な耐久性に優れた素材であることが好適である。このような点から、ビニール、プラスチック（防水ゴム）等の耐錆性に優れたもの、特にバードネット等が好適な素材として例示される。被覆網状体９のネットの厚みは０．１ｍｍ〜５０ｍｍ程度、通常は２ｍｍ〜５０ｍｍが好適である。またメッシュのサイズは１ｍｍ〜１００ｍｍ程度、通常は２ｍｍ〜５０ｍｍが好適である。本被覆網状体９は平面立て構造体の上部に設けなくてもよいが、植物を定着後に被覆網状体９で被覆するのが好適である。【００２４】  図５は水溜め体７の下に安定層８上を配置し、水溜め体７に設けた平面立て構造体上に、被覆網状体９−１を設置した基盤で、植物を養生した姿図である。平面立て構造体の上部に網状体９−１を設け、平面立て構造体には、水溜め体の底部にある水を網状体９−１まで移動させる浸潤体１０を設置する。生��ミズゴケ１１は置床した後に被覆網状体９−１で被覆する。なお、被覆網状体９−１の被覆の有無に限定されることなく、植物を置床した領域がミズゴケ及びその他植物養生のための養生床網１２となる。浸潤体１０は機能的には揚水体と同等であり、その素材は、毛細管現象による水の移動を含め、紙、布、綿、パルプなどの天然の植物性繊維素材、およびスポンジなどの化学合成系のプラスチック素材、発泡性のセラミック・陶磁、グリーンビズ、モルタル、コンクリート二次製品、レンガ、タイル、など、養生液を水位よりも上部に引き上げることが可能な構造体であればよく、その材質およびその組み合わせは特に限定されるものではない。なお、パルプの形状は「おがくず」のようなものをキキサーで粒子化や微小化してもよい。またミズゴケ、ピートモス、お茶の葉（使用済みのものを含む）および植物全般の葉およびこれを微細化したもの、土壌全般（黒土や畑土、肥料含有土、パーライトやバーミキュライトなどの人工発泡石、粘土、シルトおよびこの乾燥粉末）、砂岩・泥岩などの砕屑性、凝灰岩などの火砕性、氷河堆積岩などの破砕性といった堆積岩、溶岩・火山噴出物・マグマなどから形成される火成岩、あるいは生物の堆積物でできる石灰岩、人工的につくられるコンクリート材や、これら粉砕物を単独あるいは複合して形状化したものも揚水体の範疇に含める。例えば、薄層揚水体表面加工として、粒形を一律にした砂や溶岩の粉末粒子を接着剤等で固着するものなどである。接着剤は、塩ゴム系、ウレタン系、アクリル系などを使用する。【００２５】  生長ミズゴケ集合体は、単一種（または単一系統）あるいは複数種（あるいは複数系統）のミズゴケの集合体であってもよい。ミズゴケ栽培において、生長ミズゴケ集合体に、オオミズゴケ系統である「パレストーレミーノ（商願２０１４−０４２６２０）」が、０．１％〜１００％程度、通常９０％〜１００％含まれていることが好適である。【００２６】（４）生長ミズゴケの定着化
生長ミズゴケ植物体および生長ミズゴケ集合体の定着方法は特に限定されないが、好適には、生長ミズゴケの植物体の茎部を、本ミズゴケ複合体における個々の生長ミズゴケ植物体の長手方向が、縦方向に揃えられた生長ミズゴケ集合体を度方向に定着させる。生長ミズゴケ植物体の長さは、は０．５ｍｍ〜５００ｍｍ程度、通常は３０ｍｍ〜２００ｍｍが好適である。定着するミズゴケ植物体の頭状体の有無は特に限定されないが、頭状体をもつ植物体を使用することが望ましい。生長ミズゴケ植物体の載置（置床または静置）を行った生長ミズゴケ集合物は、好適には上側表面全面に、シャワーノズルから噴出された緩水流を流しかけて、当該乾燥ミズゴケ集合物全体の引き締め処理を行うことで定着工程は完了して、生長ミズゴケ植物体の養生床網を形成させる。また、生長ミズゴケ植物体あるいは生長ミズゴケ集合体どうしが接触することにより、ミズゴケ間で水が移動して湿潤する。本定着化の行程を行うことで当該ミズゴケ植物体は養生され、生長し、当該養生床網表面より新たなミズゴケ植物体が増殖する。【００２７】図６は植物を養生する植生基盤の断面図である。平面体１−１は被覆網状体９−２の下部に位置し、平面体１−１に浸潤体１０−１を設け、生長ミズゴケ１１−１と接触させる。底部接着部１３はシリコンで充填して防水加工を施し、また留め部材１４によって、平面体１−１および被覆網状体９−２を留め固定する。排水部１５は、平面体１−１上部より下方に設けることで、植物に水溜めされた水が直接、植物に接触あるいは水没することを避けることができる。留め部材１４は、平面立て構造体に、平面体１−１で被覆網状体９−２、平面体上部上網状体（植物養成下部網状体ともいう）１６または植物を挟み込んだ両網状体（養生床網）を固定できるものであればよく、例えば、くぎ、留めネジ、ホッチキス針などで固定できるが、特にタッカー針が好適である。また、当該部材の素材も、木質、鉄やステンレスなどの金属など特に限定されない。ゆえに、排水部１５は水位１７よりも同等か高い位置に設けられることになり、被覆網状体９−２、平面体上部上網状体１６および植物を挟み込んだ両網状体（養生床網）がある高さよりも常に下位に水位１７を維持することができる。浸潤体１０−１の下部は水位１７よりも低い位置に常にあることで、水が常時植物体に移動し生長ミズゴケ１１−１が湿潤される。接着部１８の接着部の接着剤は、塩ゴム系、ウレタン系、アクリル系などを使用するが、シリコンでの接着が好適である。【００２８】上記（１）〜（４）により、本ミズゴケ複合体における生長ミズゴケの養生を行うことができる。
【発明の効果】
【００２９】  本発明により、ユニット基盤を作製することなく施工を実施することが可能になる。また、乾燥ミズゴケを使用しない養生基盤を提供できる。これは、現在生物保全上、深刻な問題となっている、また海外から輸入される乾燥ミズゴケ（外来種のミズゴケ）およびその中に混在している他外来植物種の種子の進入を防ぐことができる。さらに、単なる栽培生産としてだけでなく、日本国内のミズゴケは全て絶滅の危機に瀕していることからも、大規模自然再生にむけた、国産野生ミズゴケのｅｘ  ｓｉｔｕ保全用の養成基盤として利用することも多いに期待できる。
【発明を実施するための最良の形態】
【００３０】  図７は、広範囲施工用の平面立て構造体を用いた植物養生基盤の構造図である。広範囲施工では、広域施工平面体１−２は、小面積施工平面体１−３によって平面立て構造体のブロックを作製し、このブロックを、ブロックの縁にあたる平面体の端どうしを平行方向１９にして連結することで形成される。連結したブロックどうしは固定しても固定しなくてもよいが、固定する場合、その固定部材は、平面体と平面体を連結固定できるものであればよく、例えば、くぎ、留めネジ、ホッチキス針などで固定できるが、特にタッカー針が好適である。また、当該部材の素材も、木質、鉄やステンレスなどの金属など特に限定されない。平面体の提供は、施工現場で当該ブロックを組み立てるための開発ではあるがが、平面体を作製する現場等、あらかじめ施工現場とは異なる別の場所で作製してもよい。完成広域施工平面体１−４は広域水張り体２０に設置されこれを枠２１で固定する。広域水張り体２０は水溜め体と同等の機能をもち、部材としては、厚さは特に限定されないが、０．１ｍｍ〜１００ｍｍ程度、通常は２ｍｍ〜５０ｍｍが好適である。また、その素材は、プラスチック、木材、ビニール、樹脂、ゴム、コンクリート、石材、金属等、特に限定されないが、折り曲げが容易で、かつ、経時的な耐久性に優れた素材であることが好適である。このような点から、ビニール、プラスチック（防水ゴム）等の耐錆性に優れたものが、好適な素材として例示される。広域水張り体２０の形状については、箱型、円筒型、円錐型、円柱型、楕円形、ドーム型、コンベックス（蒲鉾状）およびこれ以外の形あるいは不定形でもよく、水を溜めることが可能な形状であれば特に限定されるものではない。また広域水張り体２０を複数の素材から構成してもよく、例えば、底部を木や防水樹脂にしたり、シリコンを接着するなどして、水溜めができる状態にしてもよい。広域水張り体２０は施工面との間に層を設けてもよい。層の厚さは特に限定されないが、０．１ｍｍ〜１０００ｍｍ程度、通常は２ｍｍ〜３００ｍｍが好適である。安定層８の素材は、木材、ビニール、樹脂、ゴム、コンクリート、石材材、金属、砂、砂利、プラスチック、発泡スチロールやウレタンなどの発泡性の素材、あるいは発泡性セラミック・陶磁、グリーンビズ、モルタル、コンクリート二次製品、レンガ、タイル、およびミズゴケ、ピートモス、お茶の葉（使用済みのものを含む）、腐葉土などの生物素材およびこれを微細化したもの、土壌全般（黒土や畑土、肥料含有土、パーライトやバーミキュライトなどの人工発泡石、粘土、シルトおよびこの乾燥粉末）等、特に限定されるものではない。また、その材質およびその組み合わせは特に限定されるものではない。広域施工平面体１−４の広さの上限は特に限定されるものではないが、その範囲は１ｍ２〜１００００００００ｍ２程度、通常は１０ｍ２〜１００００００ｍ２が好適である。このとき、少数からなるブロックを組み合わせた小規模あるいは中規模の当該基盤を作製し、これを連結あるいは隣接させてもよい。枠２１の厚さは特に限定されないが、０．１ｍｍ〜１００ｍｍ程度、通常は２ｍｍ〜５０ｍｍが好適である。また、枠２１素材は、木材、ポリプレート、化学合成���のプラスチック素材、発泡樹脂、アルミやステンレスを含む金属、石、セラミック、陶器、瓦、グリーンビズ、モルタル、コンクリート二次製品、レンガ、タイル、コンクリート、ガラスなど、その種類は特に限定されるものではないが、木材、コンクリートなどが好適である。また施工面の土を素材として盛って枠２１にすることも可能である。【００３１】  図８は、浸潤体を設置した広域施工植物養生基盤の姿図である。【００３２】  図９は、上枠２２とにオーバーフロー排出口２３を設け、この上枠２２で連続ネット２４を施した広域施工植物養生基盤の構造図である。上枠２２の厚さは特に限定されないが、０．１ｍｍ〜１００ｍｍ程度、通常は２ｍｍ〜５０ｍｍが好適である。また、枠２１素材は、木材、ポリプレート、化学合成系のプラスチック素材、発泡樹脂、アルミやステンレスを含む金属、石、セラミック、陶器、瓦、グリーンビズ、モルタル、コンクリート二次製品、レンガ、タイル、コンクリート、ガラスなど、その種類は特に限定されるものではないが、ポリプレート、ビニール、プラスチック等が好適である。連続ネット２４は被覆網状体および平面体上部上網状体と同等の機能をもち、素材としては、プラスチック、木材、ビニール、樹脂、ゴム、コンクリート、石材材、金属等、特に限定されないが、折り曲げが容易で、かつ、経時的な耐久性に優れた素材であることが好適である。このような点から、ビニール、プラスチック（防水ゴム）等の耐錆性に優れたもの、特にバードネット等が好適な素材として例示される。連続ネット２４の厚みは０．１ｍｍ〜５０ｍｍ程度、通常は２ｍｍ〜５０ｍｍが好適である。またメッシュのサイズは１ｍｍ〜１００ｍｍ程度、通常は２ｍｍ〜５０ｍｍが好適である。本連続ネット２４は、複数層から構成されてもよい、その範囲は１層〜１０層、通常は１層ないし２層が好適である。【００３３】  図１０は、柱部材２５を広域施工植物養生基盤上または周囲に組み、この柱部材２５に遮光ネット２６を設けた姿図である。柱部材２５の素材は、木材、ポリプレート、化学合成系のプラスチック素材、発泡樹脂、アルミやステンレスを含む金属、石、セラミック、陶器、瓦、グリーンビズ、モルタル、コンクリート二次製品、レンガ、タイル、コンクリート、ガラスなど、その種類は特に限定されるものではないが、コンクリート、木材、ステンレス等の金属パイプ等が好適であり、中でも単管パイプが最も好適である。柱部材２５の施工する際、施工面からの高さは、特に限定されないが、１００ｍｍ〜１００００ｍｍ程度、通常は２００ｍｍ〜５０００ｍｍが好適である。種苗生長ミズゴケ２７は種苗として広域施工植物養生基盤上に定着２７−１させる。広域施工植物養生基盤には給水管２８より水を給水する。遮光ネット２６は素材としては、光が遮断または減光できるものなら特に限定されないが、プラスチック、木材、ビニール、樹脂、ゴム、コンクリート、石材材、金属等でもよい。折り曲げが容易で、かつ、経時的な耐久性に優れた素材であることが好適である。このような点から、ビニール、プラスチック（防水ゴム）等の耐錆性に優れたもの、特に遮光ネットが好適であり、バードネットなども代替として利用可能である。遮光ネット���６の厚みは０．１ｍｍ〜５０ｍｍ程度、通常は２ｍｍ〜５０ｍｍが好適である。またメッシュのサイズは１ｍｍ〜１００ｍｍ程度、通常は２ｍｍ〜５０ｍｍが好適である。本遮光ネット２６は、複数層から構成されてもよい、その範囲は１層〜１０層、通常は１層ないし２層が好適である。遮光は１％〜９９％の範囲で、通常は１０％〜９０％が好適である。【００３４】  図１１は、広域施工植物養生基盤にソーラーパネル（太陽光発電パネル）２９を設置した姿図である。ソーラーパネルの下位に樋３０を設けてもよい。また樋３０より樋排水管３１を設けて排水させ、これを基盤に流し入れ、水を植物養生基盤に給水させることも可能である。また、広域施工植物養生基盤上に懸垂させるパネル平行方向遮光ネット３２やパネル垂直方向遮光ネット３３を設けてもよい。これら懸垂式遮光ネットは遮光ネット留め部材３４で固定する。遮光ネット留め部材３４は、遮光ネットを懸垂させるものであれば、テープ、プラスチック性や金属性のバンド・クリップ・キャップ等、特にその素材や大きさは限定されないが、市販の留めキャップ等が好適である。【００３５】  図１２は、広域施工植物養生基盤に設置するソーラーパネル下部３５の背面姿図である。施工面２６より、ソーラーパネル架台３７によってソーラーパネルを上部固定する。ソーラーパネル架台３７の素材は、木材、ポリプレート、化学合成系のプラスチック素材、発泡樹脂、アルミやステンレスを含む金属、石、セラミック、陶器、瓦、グリーンビズ、モルタル、コンクリート二次製品、レンガ、タイル、コンクリート、ガラスなど、その種類は特に限定されるものではないが、コンクリート、木材、ステンレス等の金属パイプ等が好適である。ソーラーパネル架台３７またはソーラーパネルの施工面からの高さは、特に限定されないが、１００ｍｍ〜１００００ｍｍ程度、通常は２００ｍｍ〜５０００ｍｍが好適である。【００３６】  図１３は、ソーラーパネル設置下の施工面に広域施工植物養生基盤を設置した姿図である。これにより、ソーラーパネルが広域施工植物養生基盤で養生する生長ミズゴケおよびその他植物から太陽光を遮光線３８位置の範囲内で広域施工植物養生基盤からなる広域植物養生施設３９を遮光することができる。【００３７】  図１４は、ソーラーパネルの背面にある広域施工植物養生基盤に生長ミズゴケを置床させ、栽培ミズゴケ４１として栽培する態様を示した姿図である。【００３８】  図１５は、ソーラーパネル設置下の施工面に広域施工植物養生基盤を置くための下棚４０を設けた姿図である。下棚４０を設けて生長ミズゴケおよびその他植物を養生させることも可能である。下棚４０の高さは特に限定されないが、１０ｍｍ〜１００００ｍｍ程度、通常は５０ｍｍ〜３０００ｍｍが好適である。下棚４０の素材は、木材、石質、ビニール、樹脂、ゴム、コンクリート、石材材、金属、砂、砂利、プラスチック、発泡スチロールやウレタンなどの発泡性の素材、あるいは発泡性セラミック・陶磁、グリーンビズ、モルタル、コンクリート二次製品、レンガ、タイル、土壌全般等、特に限定されるものではない。また、その材質およびその組み合わせは特に限定されるものではない。【００３９】  図１６は、ソーラー���ネルの下部にあたる施工面に、パネル並列方向と同一方向に連続施工４２した図（左図）、および傾斜設置ソーラーパネル４３の下部にあたる施工面に不連続施工（隣接施工）４４した広域施工植物養生基盤を設けた姿図である。なお、当該広域施工植物養生基盤はスライド式にして、容易に出し入れすることも可能である。また、上部パネルにより、太陽光発電したエネルギーで、水のくみ上げなどを含めた水の移動およおび管理を行うようにすることも可能である。【００４０】  図１７は、ソーラーパネル設置下の施工面に給水システムを組み込んだ広域施工植物養生基盤の姿図である。パネル用樋４５はソーラーパネル下部に取り付け、またパネル裏に直流電流線４６を取り付けてもよい。雨水等の液体はパネル用樋４５よりパネル用樋配水管４７を通じて排水できる。施工面にくみ上げポンプ４８を設置し、ポンプ作動用電線４８−１を通じて水溜め水槽水位４９を調整する。水溜め水槽５０から広域施工植物養生基盤に水を供給する際は、ポンプ作動用電線４８−１を介して、インバーター５１および分電盤５２をもって水位制御をはかり、給水管５３を通じて給水されることで広域施工植物養生基盤内の水量を常に保てるようにする。非常時には自動水位計電線５５がつながっている分電盤５２から余分電流線５４から余剰電流を流す。また、広域施工植物養生基盤には自動水位計５５−１およびのポンプ給水管５６が設置される。【００４１】  図１８は、固定枠で固定した平面立て構造体ブロックの姿図である。本図は格子状の平面立て構造体をブロック枠５７で固定した図である。ブロック枠の部材の厚さは特に限定されないが、０．１ｍｍ〜１００ｍｍ程度、通常は２ｍｍ〜５０ｍｍが好適である。また、その素材は特に限定されないが、折り曲げが容易で、かつ、経時的な耐久性に優れた素材であることが好適である。このような点から、ポリプレート、ビニール、プラスチック等の耐錆性に優れたものが好適な素材として例示される。【００４２】  図１９は、固定枠で固定した平面立て構造体ブロックの拡大姿図である。吸水体５８は交差させた箇所とその隣接する交差箇所との間の平面上部から、平面体底部に架橋させる状態で設置する。【００４３】  図２０は、固定枠で固定した平面立て構造体ブロックに吸水体設置５９の態様を示した姿図である。【００４４】  図２１は、栽培用平面立て構造体ブロックに栽培ネットを設置した姿図である。栽培ネット６０を栽培ネット留め部材６１で固定する。このブロックで生長ミズゴケを栽培させる。栽培ネット６０は被覆網状体９および植物養成下部網状体と同等の機能を有するものであり、その素材材は、プラスチック、木材、ビニール、樹脂、ゴム、コンクリート、石材材、金属等、特に限定されないが、折り曲げが容易で、かつ、経時的な耐久性に優れた素材であることが好適である。このような点から、ビニール、プラスチック（防水ゴム）等の耐錆性に優れたもの、特にバードネット等が好適な素材として例示される。栽培ネット６０のネットの厚みは０．１ｍｍ〜５０ｍｍ程度、通常は２ｍｍ〜５０ｍｍが好適である。またメッシュのサイズは１ｍｍ〜１００ｍｍ程度、通常は２ｍｍ〜５０ｍｍが好適である。本栽培ネット６０は平面立て構造体の上部に設けなくてもよい。留め部材１４は、栽培用平面立て構造体ブロックに、栽培ネット６０または植物を挟み込んだ両網状体（養生床網）を固定できるものであればよく、例えば、くぎ、留めネジ、ホッチキス針などで固定できるが、特にタッカー針が好適である。また、当該部材の素材も、木質、鉄やステンレスなどの金属など特に限定されない。【００４５】  図２２は、栽培用平面立て構造体ブロックに栽培ネットを栽培ブロック用枠６２で固定した姿図である。栽培ブロック用枠６２の厚さは特に限定されないが、０．１ｍｍ〜１００ｍｍ程度、通常は２ｍｍ〜５０ｍｍが好適である。また栽培ブロック用枠６２の素材は、木材、ポリプレート、化学合成系のプラスチック素材、発泡樹脂、アルミやステンレスを含む金属、石、セラミック、陶器、瓦、グリーンビズ、モルタル、コンクリート二次製品、レンガ、タイル、コンクリート、ガラスなど、その種類は特に限定されるものではない。【００４６】  図２３は、網を固定した平面立て構造体ブロックに生長ミズゴケを置床・栽培する態様を示した姿図である。栽培ミズゴケ種苗６３は、生長ミズゴケあるいはその集合体である。これは単一種（または単一系統）あるいは複数種（あるいは複数系統）のミズゴケの集合体であってもよい。ミズゴケ栽培において、生長ミズゴケ集合体に、オオミズゴケ系統である「パレストーレミーノ（商願２０１４−０４２６２０）」が、０．１％〜１００％程度、通常９０％〜１００％含まれていることが好適である。水溜めの構造にはなっていないため、このブロックには水は溜まることはない。施工場で直接ミズゴケを配置するのではなく、ブロック作製元座など、異なる場所などでミズゴケをこの基盤に配置し、これを積み重ねて養生施工されている場所に移動させ、配置することもできる。【００４７】  図２４は、平面立て構造体ブロックで栽培した生長ミズゴケを収穫する態様を示した姿図である。栽培ミズゴケ頭部６４はブロックの上面にくるように配置する。収穫適性ミズゴケ６５にまで生長した際に収穫を行う。本栽培は、水槽水位６６を調整することの可能な水槽枠６７で栽培する。【００４８】  図２５は、生長ミズゴケを収穫した平面立て構造体ブロックで生長ミズゴケを再設置する態様を示した姿図である。収穫適性ミズゴケ６５にまで生長した生長ミズゴケは、植物体上部を収穫後、収穫後ブロック６８を再び底部に常時水がある場所で栽培し、頭状体をもつミズゴケとして再生させ、養生させることができる。【００４９】  図２６は、本基盤での生長ミズゴケの回収・再生システム構想図である。収穫後ブロック６８−１は頭部付ミズゴケブロック６９から分離した状態のものである。分離した上部ミズゴケ集合体７０は上部収穫ミズゴケ利用部８０として利用される。一方、ミズゴケ下部再生栽培基盤９０を用いて収穫後下部ミズゴケ種苗９１を下部収穫ミズゴケ利用部９２として養生する。また、上部ミズゴケ集合体７０はミズゴケ上部栽培基盤９３に設置することで上部栽培ミズゴケ集合体９４として栽培し、ミズゴケ養生から下部に得られる泥炭の作出と、これを利用し、ガス化して、エネルギー転換させたり、土壌改良材をつくりだすことにつながる。さらには、本システム��用いて、湿原の再生にも応用できる。
【図面の簡単な説明】
【図１】平面体を格子状に組み合わせた平面立て構造体の姿図である。
【図２】平面立て構造体にする際の平面体の拡大姿図である。
【図３】平面立て構造体を水溜め体に配置した構成図である。
【図４】養生植物の被覆網状体の姿図である。
【図５】安定層上の水溜め体に配置した平面立て構造体上に植物を定着させ被覆網状体を被覆した姿図である。
【図６】植物を養生する植生基盤の断面図である。
【図７】広範囲施工用の平面立て構造体を用いた植物養生基盤の構造図である。
【図８】浸潤体を設置した広域施工植物養生基盤の姿図である。
【図９】上枠と連続ネットを施した広域施工植物養生基盤の構造図である。
【図１０】広域施工植物養生基盤に遮光ネットを設けた姿図である。
【図１１】広域施工植物養生基盤にソーラーパネル（太陽光発電パネル）を設置した姿図である。
【図１２】広域施工植物養生基盤に設置するソーラーパネルの背面姿図である。
【図１３】ソーラーパネル設置下の施工面に広域施工植物養生基盤を設置した姿図である。
【図１４】ソーラーパネルの背面にある広域施工植物養生基盤に定着させた栽培ミズゴケの態様を示した姿図である。
【図１５】ソーラーパネル設置下の施工面に広域施工植物養生基盤を置くための下棚を設けた姿図である。
【図１６】ソーラーパネル設置下の施工面に、パネル並列方向と同一方向に連続施工および不連続施工（隣接施工）した広域施工植物養生基盤を設けた姿図である。
【図１７】ソーラーパネル設置下の施工面に給水システムを組み込んだ広域施工植物養生基盤の姿図である。
【図１８】固定枠で固定した平面立て構造体ブロックの姿図である。
【図１９】固定枠で固定した平面立て構造体ブロックの拡大姿図である。
【図２０】固定枠で固定した平面立て構造体ブロックに吸水体をとりつけた姿図である。
【図２１】栽培用平面立て構造体ブロックに栽培ネットを設置した姿図である。
【図２２】栽培用平面立て構造体ブロックに栽培ネットを栽培ブロック用枠６２で固定した姿図である。
【図２３】網を固定した平面立て構造体ブロックに生長ミズゴケを置床・栽培する態様を示した姿図である。
【図２４】平面立て構造体ブロックで栽培した生長ミズゴケを収穫する態様を示した姿図である。
【図２５】生長ミズゴケを収穫した平面立て構造体ブロックで生長ミズゴケを再設置する態様を示した姿図である。
【図２６】本基盤での生長ミズゴケの回収・再生システム構想図である。
【図１】
2016131562.tif 000007
【図２】
2016131562.tif 000008
【図３】
2016131562.tif 000009
2016131562.tif 000010
【図６】
2016131562.tif 000011
【図７】
2016131562.tif 000012
【図８】
2016131562.tif 000013
【図９】
2016131562.tif 000014
【図１０】
2016131562.tif 000015
【図１１】
2016131562.tif 000016
【図１２】
2016131562.tif 000017
【図１３】
2016131562.tif 000018
【図１４】
2016131562.tif 000019
【図１５】
2016131562.tif 000020
【図１６】
2016131562.tif 000021
【図１７】
2016131562.tif 000022
【図１８】
2016131562.tif 000023
【図１９】
2016131562.tif 000024
【図２０】
2016131562.tif 000025
【図２１】
2016131562.tif 000026
【図２２】
2016131562.tif 000027
【図２３】
2016131562.tif 000028
【図２４】
2016131562.tif 000029
【図２５】
2016131562.tif 000030
【図２６】
2016131562.tif 000031
【手続補正書】
【提出日】平成27年4月17日(2015.4.17)
【手続補正１】
【補正対象書類名】図面
【補正対象項目名】全図
【補正方法】変更
【補正の内容】
【図１】
2016131562.tif 000032
【図２】
2016131562.tif 000033
【図３】
2016131562.tif 000034
【図４】
2016131562.tif 000035
【図５】
2016131562.tif 000036
【図６】
2016131562.tif 000037
【図７】
2016131562.tif 000038
【図８】
2016131562.tif 000039
【図９】
2016131562.tif 000040
【図１０】
2016131562.tif 000041
【図１１】
2016131562.tif 000042
【図１２】
2016131562.tif 000043
【図１３】
2016131562.tif 000044
【図１４】
2016131562.tif 000045
【図１５】
2016131562.tif 000046
【図１６】
2016131562.tif 000047
【図１７】
2016131562.tif 000048
【図１８】
2016131562.tif 000049
【図１９】
2016131562.tif 000050
【図２０】
2016131562.tif 000051
【図２１】
2016131562.tif 000052
【図２２】
2016131562.tif 000053
【図２３】
2016131562.tif 000054
【図２４】
2016131562.tif 000055
【図２５】
2016131562.tif 000056
【図２６】
2016131562.tif 000057